(57)【要約】      （修正有）【課題】上部パッドの損傷に関係なく、下部パッドの大気露出を防止するボンディングパッド構造物を提供する。【解決手段】ボンディングパッド構造物は、パシベーション膜１４０、上部パッド１２０、下部パッド１１０、及びコンタクト部材１３０を含む。上部パッドは、前記パシベーション膜で覆われる第１領域、及び前記パシベーション膜から露出された第２領域を有する。下部パッドは、前記第２領域を通じて露出されないように前記上部パッドの第１領域下部に位置する。コンタクト部材は、前記上部パッドと前記下部パッドとの間に介在され、前記上部パッドと前記下部パッドを電気的に連結させる。従って、下部パッドが大気中に露出されない。【選択図】図１
2009164607.tif 000002
【特許請求の範囲】
【請求項１】
パシベーション膜と、
前記パシベーション膜で覆われる第１領域、及び前記パシベーション膜から露出された第２領域を有する上部パッドと、
前記第２領域を通じて露出されないように前記上部パッドの第１領域の下部に位置し、前記上部パッドと電気的に連結された下部パッドと、を含むボンディングパッド構造物。
【請求項２】
前記上部パッドと前記下部パッドとの間に介在され、前記上部パッドと前記下部パッドとを電気的に連結させるコンタクト部材を更に含むことを特徴とする請求項１記載のボンディングパッド構造物。
【請求項３】
前記下部パッドは、連続的に連結されたループ形状を有することを特徴とする請求項２記載のボンディングパッド構造物。
【請求項４】
前記コンタクト部材は、前記ループ形状の下部パッドと部分的に接触する複数個のプラグを含むことを特徴とする請求項３記載のボンディングパッド構造物。
【請求項５】
前記コンタクト部材は、前記ループ形状の下部パッド全体と接触する１つのプラグを含むことを特徴とする請求項３記載のボンディングパッド構造物。
【請求項６】
前記下部パッドは、複数個で構成された柱形状を有することを特徴とする請求項２記載のボンディングパッド構造物。
【請求項７】
前記コンタクト部材は、前記柱形状の下部パッドのそれぞれと一対一で接触する複数個のプラグを含むことを特徴とする請求項６記載のボンディングパッド構造物。
【請求項８】
前記第１領域は前記上部パッドのエッジ部で、前記下部パッドは前記第２領域を露出させるように前記下部パッドの中央部に形成された開口部を有することを特徴とする請求項１記載のボンディングパッド構造物。
【請求項９】
前記上部パッドは長方形で、前記下部パッドは長方形枠形状であることを特徴とする請求項８記載のボンディングパッド構造物。
【請求項１０】
前記上部パッドはアルミニウムを含み、前記下部パッドは銅を含むことを特徴とする請求項１記載のボンディングパッド構造物。
【請求項１１】
前記下部パッドの下部に配置され、前記上部パッドと前記下部パッドを通じたクラックの前進を遮断するクランク遮断膜を更に含むことを特徴とする請求項１記載のボンディングパッド構造物。
【請求項１２】
前記クラック遮断膜は、ポリシリコン、シリコンゲルマニウム、又はアルミニウムを含むことを特徴とする請求項１１記載のボンディングパッド構造物。
【請求項１３】
前記下部パッドと前記上部パッドとの間に介在された障壁膜を更に含むことを特徴とする請求項１記載のボンディングパッド構造物。
【請求項１４】
開口部を有する下部パッドと、
前記下部パッドの上部に位置して前記下部パッドと電気的に連結され、前記開口部と対応するコンタクト領域を有する上部パッドと、
前記コンタクト領域が露出されるように前記上部パッド上に形成されたパシベーション膜と、を含むボンディングパッド構造物。
【請求項１５】
前記下部パッドの下部に配置され、前記上部パッドと前記下部パッドを通じたクラックの前進を遮断するクラック遮断膜を更に含むことを特徴とする請求項１４記載のボンディングパッド構造物。
【請求項１６】
基板上にトレンチを有する第１層間絶縁膜を形成する段階と、
前記トレンチ内に下部パッドを形成する段階と、
前記下部パッドを露出させる少なくとも１つのビアホールを有する第２層間絶縁膜を前記第１層間絶縁膜上に形成する段階と、
前記開口部内に前記下部パッドと電気的に連結されたプラグを形成する段階と、
前記プラグと電気的に連結されるように前記第２層間絶縁膜上に上部パッドを形成する段階と、
前記プラグの上部に位置する前記上部パッド部分上にパシベーション膜を形成する段階と、を含むボンディングパッド構造物の形成方法。
【請求項１７】
前記プラグを形成する段階と前記上部パッドを形成する段階は同時に行われることを特徴とする請求項１６記載のボンディングパッド構造物の形成方法。
【請求項１８】
前記基板内に前記上部パッドと前記下部パッドを通じたクラックの前進を遮断するクラック遮断膜を形成する段階を更に含むことを特徴とする請求項１６記載のボンディングパッド構造物の形成方法。
【請求項１９】
前記下部パッドと前記プラグとの間に障壁膜を形成する段階を更に含むことを特徴とする請求項１６記載のボンディングパッド構造物の形成方法。
【請求項２０】
基板上に複数個の第１ビアホールを有する第１層間絶縁膜を形成する段階と、
前記第１ビアホール内に柱形状の下部パッドを形成する段階と、
前記柱形状の下部パッドのそれぞれを露出させる第２ビアホールを有する第２層間絶縁膜を前記第１層間絶縁膜上に形成する段階と、
前記第２ビアホール内に前記柱形状の下部パッドのそれぞれと一対一で接触する複数個のプラグを形成する段階と、
前記プラグと電気的に連結されるように前記第２層間絶縁膜上に上部パッドを形成する段階と、
前記プラグの上部に位置する前記上部パッド部分上にパシベーション膜を形成する段階と、を含むボンディングパッド構造物の形成方法。
【請求項２１】
前記基板内に前記上部パッドと前記下部パッドを通じたクラックの前進を遮断するクラック遮断膜を形成する段階を更に含むことを特徴とする請求項２０記載のボンディングパッド構造物の形成方法。
【請求項２２】
前記下部パッドと前記プラグとの間に障壁膜を形成する段階を更に含むことを特徴とする請求項２０記載のボンディングパッド構造物の形成方法。
【請求項２３】
ボンディングパッド構造物を有する半導体チップと、
前記半導体チップに付着された印刷回路基板と、
前記印刷回路基板と前記ボンディングパッド構造物とを電気的に連結させる連結部材と、を含み、
前記ボンディングパッド構造物は、
パシベーション膜と、
前記パシベーション膜で覆われる第１領域、及び前記パシベーション膜から露出され前記連結部材が連結された第２領域を有する上部パッドと、
前記第２領域を通じて露出されないように前記上部パッドの第１領域の下部に位置し、前記上部パッドと電気的に連結された下部パッドと、を含む半導体パッケージ。
【請求項２４】
前記上部パッドと前記下部パッドとの間に介在され、前記上部パッドと前記下部パッドとを電気的に連結させるコンタクト部材を更に含むことを特徴とする請求項２３記載の半導体パッケージ。
【請求項２５】
前記下部パッドと前記コンタクト部材との間に介在された障壁膜を更に含むことを特徴とする請求項２４記載の半導体パッケージ。
【発明の詳細な説明】
【技術分野】
【０００１】
本発明は、ボンディングパッド構造物及びその製造方法、並びにボンディングパッド構造物を有する半導体パッケージに関し、より具体的には半導体チップの外部接続端子であるボンディングパッド構造物、このようなボンディングパッド構造物を製造する方法、及びこのようなボンディングパッド構造物を有する半導体パッケージに関する。
【背景技術】
【０００２】
一般に、ウエハーに多様な半導体工程を行って複数個の半導体チップを形成する。半導体チップの電気的特性は、プローブ装置を用いて検査することになる。半導体チップは、プローブ装置のプローブが接触するボンディングパッド構造物を有する。
【０００３】
従来のボンディングパッド構造物は、下部パッド、下部パッドと電気的に連結された上部パッド、及び上部パッドを部分的に覆うパシベーション膜を含む。上部パッドに導電性ワイヤーや導電性バンプ等のような連結部材が連結される。即ち、上部パッドがボンディングパッドに該当する。又、半導体チップの電気的特性検査時、プローブが上部パッドに接触することになる。
【０００４】
一方、半導体チップが高集積化され、速い動作速度を要求するに従って、上部パッドとしてアルミニウム材質が使用される反面、下部パッドとして銅が主に使用されている。
【０００５】
ここで、プローブがアルミニウム材質の上部パッドに接触する時、上部パッドに強い衝撃が印加され、上部パッドにクラックが発生する虞がある。クラックは下部パッドに伝播され、下部パッドが大気中に露出される場合がある。大気に露出された銅材質の下部パッドは酸化されやすいという傾向がある。これによって、上部パッドと下部パッドとの間の電気的接続信頼性が大幅に低下するという問題がある。
【０００６】
又、電気的特性検査後、導電性ワイヤーを上部パッドにボンディングする時、上部パッドのクラックがより激しく発生されることができる。このようなクラックは下部パッドに伝播され、下部パッドが酸化される現象がより激しく発生されることができる。
【発明の開示】
【発明が解決しようとする課題】
【０００７】
本発明は、上部パッドの損傷に関係なく、下部パッドの大気露出を防止することができるボンディングパッド構造物を提供する。
【０００８】
又、本発明は、前記したボンディングパッド構造物を製造する方法を提供する。
【０００９】
又、本発明は、前記したボンディングパッド構造物を有する半導体パッケージを提供する。
【課題を解決するための手段】
【００１０】
本発明の一態様によるボンディングパッド構造物は、パシベーション膜、上部パッド、及び下部パッドを含む。上部パッドは、前記パシベーション膜で覆われる第１領域、及び前記パシベーション膜から露出された第２領域を有する。下部パッドは、前記第２領域を通じて露出されないように前記上部パッドの第１領域の下部に位置し、上部パッドと電気的に連結される。
【００１１】
本発明の一実施例によると、ボンディングパッド構造物は、前記上部パッドと前記下部パッドとの間に介在され、前記上部パッドと前記下部パッドを電気的に連結させるコンタクト部材を更に含むことができる。下部パッドは、連続的に連結されたループ形状を有することができる。前記コンタクト部材は、前記ループ形状の下部パッドと部分的に接触する複数個のプラグを含むことができる。又は、前記コンタクト部材は、前記ループ形状の下部パッド全体と接触する１つのプラグを含むことができる。
【００１２】
本発明の他の実施例によると、前記下部パッドは、複数個で構成された柱形状を有することができる。前記コンタクト部材は、前記柱形状の下部パッドのそれぞれと一対一で接触する複数個のプラグを含むことができる。
【００１３】
本発明の更に他の実施例によると、前記第１領域は前記上部パッドのエッジ部で、前記下部パッドは前記第２領域を露出させるように前記下部パッドの中央部に形成された開口部を有することができる。前記上部パッドは長方形で、前記下部パッドは長方形枠形状であり得る。
【００１４】
本発明の更に他の実施例によると、ボンディングパッド構造物は前記下部パッドの下部に配置され、前記上部パッドと前記下部パッドを通じたクラックの前進を遮断するクラック遮断膜を更に含むことができる。
【００１５】
本発明の他の態様によるボンディングパッド構造物は、下部パッド、上部パッド、及びパシベーション膜を含む。下部パッドは、開口部を有する。上部パッドは、前記下部パッドの上部に位置して前記下部パッドと電気的に連結される。又、上部パッドは、前記開口部と対応するコンタクト領域を有する。パシベーション膜は、前記コンタクト領域が露出されるように前記上部パッド上に形成される。
【００１６】
本発明の更に他の態様によるボンディングパッド構造物の製造方法によると、基板上にトレンチを有する第１絶縁膜を形成する。前記トレンチ内に下部パッドを形成する。前記下部パッドを露出させる少なくとも１つのビアホールを有する第２絶縁膜を前記第１絶縁膜上に形成する。前記開口部内に前記下部パッドと電気的に連結されたプラグを形成する。前記プラグと電気的に連結されるように前記第２絶縁膜上に上部パッドを形成する。前記プラグの上部に位置する前記上部パッド部分上にパシベーション膜を形成する。
【００１７】
本発明の一実施例によると、前記プラグを形成する段階と前記上部パッドを形成する段階は同時に行われることができる。
【００１８】
本発明の他の実施例によると、前記基板内に前記上部パッドと前記下部パッドを通じたクラックの前進を遮断するクラック遮断膜を形成することができる。
【００１９】
本発明の更に他の態様によるボンディングパッド構造物の製造方法によると、基板上に複数個の第１ビアホールを有する第１絶縁膜を形成する。前記第１ビアホール内に柱形状の下部パッドを形成する。前記柱形状の下部パッドのそれぞれを露出させる第２ビアホールを有する第２絶縁膜を前記第１絶縁膜上に形成する。前記第２ビアホール内に前記柱形状の下部パッドのそれぞれと一対一で接触する複数個のプラグを形成する。前記プラグと電気的に連結されるように前記第２絶縁膜上に上部パッドを形成する。前記プラグの上部に位置する前記上部パッド部分上にパシベーション膜を形成する。
【００２０】
本発明の更に他の態様による半導体パッケージは、ボンディングパッド構造物を有する半導体チップ、前記半導体チップに付着された印刷回路基板、及び前記印刷回路基板と前記ボンディングパッド構造物を電気的に連結させる連結部材を含む。前記ボンディングパッド構造物は、パシベーション膜、前記パシベーション膜で覆われる第１領域、及び前記パシベーション膜から露出され前記連結部材が連結された第２領域を有する上部パッド、及び前記第２領域を通じて露出されないように前記上部パッドの第１領域の下部に位置して前記上部パッドと電気的に連結された下部パッドを含む。
【００２１】
本発明の一実施例によると、半導体パッケージは、前記上部パッドと前記下部パッドとの間に介在され、前記上部パッドと前記下部パッドを電気的に連結させるコンタクト部材、及び前記下部パッドと前記コンタクト部材との間に介在された障壁膜を更に含むことができる。
【発明の効果】
【００２２】
前記のような本発明によると、パシベーション膜を通じて露出された上部パッド部分の下部に下部パッドが存在しない。従って、上部パッドが損傷されても、下部パッドが大気中に露出されない。結果的に、下部パッドの酸化が防止されることにより、ボンディングパッド構造物の電気的連結信頼性が向上する。
【発明を実施するための最良の形態】
【００２３】
以下、添付図面を参照して本発明の好ましい実施例を詳細に説明する。
（ボンディングパッド構造物及びその製造方法）
【００２４】
図１は本発明の一実施例によるボンディングパッド構造物を示す図で、図２は図１に図示されたボンディングパッド構造物の下部パッドを示す平面図で、図３は図２のＩＩＩ−ＩＩＩ’に沿って切断した断面図で、図４は図１に図示されたボンディングパッド構造物の上部パッドを示す平面図で、図５は図４のＶ−Ｖ’に沿って切断した断面図である。
【００２５】
図１を参照すると、本実施例によるボンディングパッド構造物１００は、下部パッド１１０、上部パッド１２０、コンタクト部材１３０、及びパシベーション膜１４０を含む。
【００２６】
図１乃至図３を参照すると、下部パッド１１０は半導体基板１８０上に形成される。下部パッド１１０は、連続的に連結されたループ形状を有する。具体的には、半導体構造物１８２が半導体基板１８０上に形成される。絶縁膜１８５が半導体構造物１８２を覆うように半導体基板１８０上に形成される。トレンチ１６２を有する第１層間絶縁膜１６０が絶縁膜１８５上に形成される。下部パッド１１０は、トレンチ１６２を埋め込む。
【００２７】
本実施例において、トレンチ１６２は長方形枠形状を有する。従って、トレンチ１６２内に形成された下部パッド１１０も長方形枠形状を有する。即ち、下部パッド１１０は、長方形の開口部１１２を有する長方形枠形状を有する。ここで、下部パッド１１０は、長方形枠形状に限定されず、環形や三角枠等のような多様な形状を有することができる。又、下部パッド１１０の材質としては銅が挙げられる。下部パッド１１０の幅は約５乃至２０μｍであり得る。
【００２８】
図１、図４、及び図５を参照すると、第２層間絶縁膜１７０が第１層間絶縁膜１６０と下部パッド１１０上に形成される。第２層間絶縁膜１７０は、下部パッド１１０を部分的に露出させる複数個の開口部１７２を有する。
【００２９】
コンタクト部材１３０は下部パッド１１０と上部パッド１２０との間に介在され、下部パッド１１０と上部パッド１２０とを電気的に連結させる。本実施例において、コンタクト部材１３０は開口部１７２を埋め込む複数個のプラグである。即ち、プラグ１３０の各下端が下部パッド１１０の上部面と接触する。
【００３０】
上部パッド１２０は、第２層間絶縁膜１７０とプラグ１３０上に形成される。従って、上部パッド１２０の底面がプラグ１３０の上端と接触する。又、上部パッド１２０は大略長方形の断面形状を有する。本実施例において、上部パッド１２０の材質としてはアルミニウムが挙げられる。
【００３１】
パシベーション膜１４０は第２層間絶縁膜１７０上に形成され、上部パッド１２０のエッジ部を覆う。従って、上部パッド１２０はパシベーション膜１４０で覆われたエッジ部に該当する第１領域Ｉ、及びパシベーション膜１４０で覆われない中央部に該当する第２領域ＩＩに区分されることができる。第２領域ＩＩが、プローブが接触して、又、導電性ワイヤーがボンディングされクラックが主に発生する領域、即ち、コンタクト領域に該当する。
【００３２】
ここで、前述したように、下部パッド１１０は、長方形枠形状を有するので、下部パッド１１０は上部パッド１２０の第１領域Ｉの下部にのみ位置し、第２領域ＩＩの下部には位置しない。従って、上部パッド１２０の第２領域ＩＩが損傷されても、下部パッド１１０は大気中に露出されない。結果的に、銅材質の下部パッド１１０が大気中の酸素と反応して酸化される現象が防止される。
【００３３】
一方、パシベーション膜１４０は、上部パッド１２０上に形成されたシリコン酸化膜１４２、及びシリコン酸化膜１４２上に形成されたシリコン窒化膜１４４を含むことができる。又、感光性ポリイミド膜１４６がシリコン窒化膜１４４上に形成されることができる。
【００３４】
付加的に、クラック遮断膜１５０が下部パッド１１０の下部に形成されることができる。クラック遮断膜１５０は、上部パッド１２０で発生したクラックが下部パッド１１０を通じて半導体基板１８０内に伝播され、半導体構造物１８２が損傷されることを防止する。クラック遮断膜１５０は、半導体構造物１８２に含まれた金属配線を延長させて形成することができる。従って、クラック遮断膜１５０は、絶縁膜１８５内に配置されることができる。一方、クラック遮断膜１５０の材質は、金属配線の材質によって変更されることができる。例えば、クラック遮断膜１５０は、ポリシリコン、シリコンゲルマニウム、アルミニウム等を含むことができる。
【００３５】
図６乃至図１１は、図１に図示されたボンディングパッド構造物を製造する方法を順次に示す断面図である。
【００３６】
図６を参照すると、クラック遮断膜１５０を半導体基板１８０内に形成する。具体的に、半導体構造物１８２に含まれた金属配線を延長して、絶縁膜１８５内に位置するクラック遮断膜１５０を形成する。
【００３７】
図７を参照すると、トレンチ１６２を有する第１層間絶縁膜１６０を絶縁膜１８５上に形成する。
【００３８】
図８を参照すると、シングルダマシン（ｓｉｎｇｌｅ  ｄａｍａｓｃｅｎｅ）工程を通じてトレンチ１６２内に下部パッド１１０を形成する。本実施例において、第１導電膜（図示せず）を第１層間絶縁膜１６０上に形成し、トレンチ１６２を第１導電膜で埋め込む。その後、第１層間絶縁膜１６０の上部面が露出されるまで、化学的機械的研磨工程（ＣＭＰ）又はエッチバック工程を通じて第２導電膜を除去する。そうすると、トレンチ１６２を埋め込む長方形枠形状の下部パッド１１０が形成される。第１導電膜の例としては銅が挙げられる。
【００３９】
図９を参照すると、複数個のビアホール１７２を有する第２層間絶縁膜１７０を第１層間絶縁膜１６０上に形成する。ここで、下部パッド１１０は開口部１７２を通じて部分的に露出される。
【００４０】
図１０を参照すると、ビアホール１７２を埋め込むプラグ１３０と第２層間絶縁膜１７０上に位置する上部パッド１２０を形成する。本実施例において、第２導電膜（図示せず）を第２層間絶縁膜１７０上に形成し、開口部１７２を第２導電膜で埋め込む。第２層間絶縁膜１７０の上部面が露出されるまでＣＭＰ工程やエッチバック工程を通じて第２導電膜を部分的に除去して、プラグ１３０と上部パッド１２０を同時に形成する。上部パッド１２０と下部パッド１１０は、プラグ１３０を介して電気的に連結される。第２導電膜の例としてはアルミニウムが挙げられる。
【００４１】
図１１を参照すると、シリコン酸化膜１４２とシリコン窒化膜１４４からなるパシベーション膜１４０を上部パッド１２０のエッジ部に該当する第１領域Ｉ上に形成する。上部パッド１２０の第２領域ＩＩはパシベーション膜１４０を通じて露出される。
【００４２】
その後、感光性ポリイミド膜１４６をシリコン窒化膜１４４上に形成し、図１に図示されたボンディングパッド構造物１００を完成する。
【００４３】
本実施例によると、パシベーション膜を通じて露出された上部パッドの第２領域の下部に下部パッドが存在しない。従って、上部パッドが損傷されても、下部パッドが大気中に露出されない。結果的に、下部パッドの酸化が防止されることにより、ボンディングパッド構造物の電気的連結信頼性が向上することができる。又、上部パッドで発生したクラックが下部パッドを通じて半導体構造物に伝播されることをクラック遮断膜が遮断することになる。従って、半導体構造物の損傷も防止することができる。
【００４４】
図１２は本発明の他の実施例によるボンディングパッド構造物を示す断面図で、図１３は図１２に図示されたボンディングパッド構造物の上部パッドを示す断面図である。
【００４５】
本実施例によるボンディングパッド構造物１００ａは、連結部材を除いては図１に図示されたボンディングパッド構造物１００の構成要素と実質的に同じ構成要素を含む。従って、同じ構成要素には同じ参照符号を付与し、同じ構成要素についての重複説明は省略する。
【００４６】
図１２及び図１３を参照すると、本実施例によるボンディングパッド構造物１００ａのコンタクト部材１３０ａは、１つで構成された一体型プラグである。従って、１つのプラグ１３０ａが下部パッド１１０の全面と接触することになる。又、第２層間絶縁膜１７０ａが１つのプラグ１３０ａを収容する１つのビアホール１７２ａを有する。
【００４７】
図１４及び図１５は、図１２に図示されたボンディングパッド構造物を製造する方法を順次に示す断面図である。
【００４８】
ここで、クラック遮断膜１５０、第１層間絶縁膜１６０、下部パッド１１０、及びパシベーション膜１４０を形成する各工程は、図６、図７、図１０、及び図１１を参照として説明した工程と実質的に同じである。従って、本実施例においては、第２層間絶縁膜１７０ａとコンタクト部材１３０ａを形成する工程についてのみ説明する。
【００４９】
図１４を参照すると、１つのビアホール１７２ａを有する第２層間絶縁膜１７０ａを第１層間絶縁膜１６０上に形成する。ここで、下部パッド１１０は開口部１７２ａを通じて全体的に露出される。
【００５０】
図１５を参照すると、ビアホール１７２ａを埋め込む１つのプラグ１３０ａと第２層間絶縁膜１７０ａ上に位置する上部パッド１２０を形成する。
【００５１】
本実施例によると、コンタクト部材が下部パッドの全面と接触されることによって、上部パッドと下部パッドとの間の電気的接続信頼性が大幅に向上することができる。
【００５２】
図１６は本発明の更に他の実施例によるボンディングパッド構造物を示す断面図で、図１７は図１６に図示されたボンディングパッド構造物の下部パッドを示す平面図で、図１８は図１７のＸＶＩＩＩ−ＸＶＩＩＩ’に沿って切断した断面図である。
【００５３】
本実施例によるボンディングパッド構造物１００ｂは、下部パッドを除いては図１に図示されたボンディングパッド構造物１００の構成要素と実質的に同じ構成要素を含む。従って、同じ構成要素には同じ参照符号を付与し、同じ構成要素についての重複説明は省略する。
【００５４】
図１６乃至図１８を参照すると、本実施例によるボンディングパッド構造物１００ｂの下部パッド１１０ｂは柱形状を有する複数個の構造物である。各柱形状の下部パッド１１０ｂは、複数個のプラグ１３０と一対一で接触する。又、第１層間絶縁膜１６０ｂは、複数個の柱形状の下部パッド１１０ｂを収容する複数個の第１ビアホール１６２ｂを有する。プラグ１３０を収容する第２ビアホール１７２が第２層間絶縁膜１７０に貫通形成される。
【００５５】
図１９及び図２０は、図１６に図示されたボンディングパッド構造物を製造する方法を順次に示す断面図である。
【００５６】
ここで、クラック遮断膜１５０、第２層間絶縁膜１７０、上部パッド１２０、及びパシベーション膜１４０を形成する各工程は、図６、図９、図１０、及び図１１を参照として説明した工程と実質的に同じである。従って、本実施例では、第１層間絶縁膜１６０ｂと下部パッド１１０ｂを形成する工程についてのみ説明する。
【００５７】
図１９を参照すると、複数個の第１ビアホール１６２ｂを有する第１層間絶縁膜１６０ｂを絶縁膜１８５上に形成する。
【００５８】
図２０を参照すると、第１ビアホール１６２ｂを下部パッド１１０ｂで埋め込む。従って、下部パッド１１０ｂのそれぞれは大略柱形状を有する。又、下部パッド１１０ｂのそれぞれは、プラグ１３０と一対一で接触する。
【００５９】
本実施例によると、下部パッドとプラグが一対一で接触することになり、下部パッドは非常に狭い面積を有することになる。従って、上部パッドの損傷によって下部パッドが露出されても、下部パッドの露出面積を最大限減少させることができる。
【００６０】
図２１は、本発明の更に他の実施例によるボンディングパッド構造物を示す断面図である。
【００６１】
本実施例によるボンディングパッド構造物１００ｃは、障壁膜１９０を更に含むことを除いては、図１に図示されたボンディングパッド構造物１００の構成要素と実質的に同じ構成要素を含む。従って、同じ構成要素には同じ参照符号を付与し、同じ構成要素についての重複説明は省略する。
【００６２】
図２１を参照すると、障壁膜１９０が下部パッド１１０とコンタクト部材１３０との間に介在される。即ち、障壁膜１９０は下部パッド１１０上に形成され、下部パッド１１０の銅が上部パッド１２０へ拡散されることを防止する。本実施例において、障壁膜１９０の材質としてはタンタル（Ｔａ）、タンタル窒化物（ＴａＮ）、チタニウム窒化物（ＴｉＮ）、タングステン窒化物（ＷＮ）等が挙げられる。又は、障壁膜１９０は下部パッド１１０を囲む構造を有することもできる。
【００６３】
ここで、障壁膜１９０は、図１のボンディングパッド構造物１００のみならず、図１２及び図１６のボンディングパッド構造物１００ａ、１００ｂにも適用されることができる。
【００６４】
一方、本実施例のボンディングパッド構造物１００ｃを製造する方法は、図１のボンディングパッド構造物１００を製造する方法に下部パッド１１０上に障壁膜１９０を形成する段階を更に含む。従って、本実施例のボンディングパッド構造物１００ｃを製造する方法についての重複説明は省略する。
（半導体パッケージ）
【００６５】
図２２は、本発明の実施例による半導体パッケージを示す断面図である。
【００６６】
図２２を参照すると、本実施例による半導体パッケージ２００は、半導体チップ２１０、印刷回路基板２２０、連結部材２３０、モールディング部材２４０、及び外部接続端子２５０を含む。
【００６７】
半導体チップ２１０は、ボンディングパッド構造物１００を有する。ボンディングパッド構造物１００は図１を参照として詳細に説明したので、重複説明は省略する。ここで、本実施例では、図１のボンディングパッド構造物１００を採用したことと例示したが、図１２のボンディングパッド構造物１００ａ、図１６のボンディングパッド構造物１００ｂ又は図２１のボンディングパッド構造物１００ｃが半導体パッケージ２００に適用されることもできる。
【００６８】
印刷回路基板２２０は半導体チップ２１０の底面に付着される。印刷回路基板２２０は、ボンディングパッド構造物１００と対応する複数個の回路パターン（図示せず）を有する。
【００６９】
連結部材２３０は、印刷回路基板２２０の回路パターンとボンディングパッド構造物１００を電気的に連結させる。本実施例では、連結部材２３０として導電性ワイヤーを使用する。他の方案として、導電性バンプや金属ライン等も連結部材２３０として使用されることができる。
【００７０】
モールディング部材２４０は、印刷回路基板２２０上に形成され半導体チップ２１０と連結部材２３０を覆う。モールディング部材２４０の材質としてはエポキシ樹脂が挙げられる。
【００７１】
外部接続端子２５０が印刷回路基板２２０の底面に実装される。外部接続端子２５０は印刷回路基板２２０の回路パターンと電気的に連結される。従って、ボンディングパッド構造物１００は、連結部材２３０と回路パターンを介して外部接続端子２５０に電気的に連結される。本実施例において、外部接続端子２５０の例としてはソルダーボールが挙げられる。
【００７２】
ここで、本実施例ではワイヤーボンディング構造を有する半導体パッケージを例示的に説明した。しかし、フリップチップパッケージ、リードフレームを有するパッケージ、チップスケールパッケージ、ウエハーレベルパッケージ等のような多様な形態のパッケージにも本発明のボンディングパッド構造物が適用されることができる。
【産業上の利用可能性】
【００７３】
前述したように、本発明の好ましい実施例によると、パシベーション膜を通じて露出された上部パッドの下部に下部パッドが存在しない。従って、上部パッドが損傷されても、下部パッドが大気中に露出されないことになる。結果的に、下部パッドの酸化が防止されることにより、ボンディングパッド構造物の電気的連結信頼性が向上されることができる。
【００７４】
又、上部パッドで発生したクラックが下部パッドを通じて半導体構造物が伝播されることをクラック遮断膜が遮断することになる。従って、半導体構造物の損傷も防止することができる。
【００７５】
以上、本発明の実施例によって詳細に説明したが、本発明はこれに限定されず、本発明が属する技術分野において通常の知識を有するものであれば本発明の思想と精神を離れることなく、本発明を修正または変更できる。
【図面の簡単な説明】
【００７６】
【図１】本発明の一実施例によるボンディングパッド構造物を示す断面図である。
【図２】図１に図示されたボンディングパッド構造物の下部パッドを示す平面図である。
【図３】図２のＩＩＩ−ＩＩＩ’に沿って切断した断面図である。
【図４】図１に図示されたボンディングパッド構造物の上部パッドを示す平面図である。
【図５】図４のＶ−Ｖ’に沿って切断した断面図である。
【図６】図１に図示されたボンディングパッド構造物を製造する方法を順次に示す断面図である。
【図７】図１に図示されたボンディングパッド構造物を製造する方法を順次に示す断面図である。
【図８】図１に図示されたボンディングパッド構造物を製造する方法を順次に示す断面図である。
【図９】図１に図示されたボンディングパッド構造物を製造する方法を順次に示す断面図である。
【図１０】図１に図示されたボンディングパッド構造物を製造する方法を順次に示す断面図である。
【図１１】図１に図示されたボンディングパッド構造物を製造する方法を順次に示す断面図である。
【図１２】本発明の他の実施例によるボンディングパッド構造物を示す断面図である。
【図１３】図１２に図示されたボンディングパッド構造物の上部パッドを示す断面図である。
【図１４】図１２に図示されたボンディングパッド構造物を製造する方法を順次に示す断面図である。
【図１５】図１２に図示されたボンディングパッド構造物を製造する方法を順次に示す断面図である。
【図１６】本発明の更に他の実施例によるボンディングパッド構造物を示す断面図である。
【図１７】図１６に図示されたボンディングパッド構造物の下部パッドを示す平面図である。
【図１８】図１７のＸＶＩＩＩ−ＸＶＩＩＩ’に沿って切断した断面図である。
【図１９】図１６に図示されたボンディングパッド構造物を製造する方法を順次に示す断面図である。
【図２０】図１６に図示されたボンディングパッド構造物を製造する方法を順次に示す断面図である。
【図２１】本発明の更に他の実施例によるボンディングパッド構造物を示す断面図である。
【図２２】本発明の実施例による半導体パッケージを示す断面図である。
【符号の説明】
【００７７】
１１０    下部パッド
１２０    上部パッド
１３０    連結部材
１４０    パシベーション膜
１５０    クラック遮断膜
【図１】
2009164607.tif 000003
【図２】
2009164607.tif 000004
【図３】
2009164607.tif 000005
【図４】
2009164607.tif 000006
【図５】
2009164607.tif 000007
【図６】
2009164607.tif 000008
【図７】
2009164607.tif 000009
【図８】
2009164607.tif 000010
【図９】
2009164607.tif 000011
【図１０】
2009164607.tif 000012
【図１１】
2009164607.tif 000013
【図１２】
2009164607.tif 000014
【図１３】
2009164607.tif 000015
【図１４】
2009164607.tif 000016
【図１５】
2009164607.tif 000017
【図１６】
2009164607.tif 000018
【図１７】
2009164607.tif 000019
【図１８】
2009164607.tif 000020
【図１９】
2009164607.tif 000021
【図２０】
2009164607.tif 000022
【図２１】
2009164607.tif 000023
【図２２】
2009164607.tif 000024